Podtech/llm-jp-corpus-v4-ja_patent huggingface dataset:
【手続補正書】
【提出日】平成23年1月19日(2011.1.19)
【手続補正１】
【補正対象書類名】明細書
【補正対象項目名】００３５
【補正方法】変更
【補正の内容】
【００３５】
図４は、スペーサ１０６の一実施形態の一部の概略正面図である。スペーサ１０６は、細長部材１１０、側壁１２４、細長部材１１４を備えている。本実施形態においては、細長部材１１０、１１４は、波状の形をしている。いくつかの実施形態においては、細長部材１１０、１１４は、ステンレススチールなどの金属リボンであり、その金属リボンを曲げて、波状の形状にする。波状形状のいくつかの考えられる実施形態は、正弦曲線、弓状、正方形、長方形、三角形、他の好ましい形状を含む。いくつかの実施形態では、（細長部材１１０、１１４は）他の材料によって形成し、鋳造などの他の製法によって形成することも出来る。図４は、同様の波形形状の細長部材１１０、１１４を図示しているが、細長部材１１４は、細長部材１１０の波形形状よりもずっと大きな波形形状を有していてもよいし、その逆であってもよい。他の考えられる実施形態は、一枚の平面細長部材とどちらかのタイプの波形形状を有する細長部材とを組み合わせたものを含んでいる。また、他の組み合わせや配置も可能である。
【手続補正２】
【補正対象書類名】明細書
【補正対象項目名】００５９
【補正方法】変更
【補正の内容】
【００５９】
側壁１２６は、第一部８０１、第二部８０３および締結機構を有する。締結機構の具体的な例は、溝付部と切欠き部を含むものである。ただし、他の実施形態においては、その他の様々な締結機構が使われる場合もある。締結機構のいくつかの代わりの例も本明細書で説明する。第一部８０１は、締結機構の一部として、切欠き部８０２を有し、細長部材１１４に結合される。第二部８０３は、締結機構のもう一つの部位として、代わりに突起部とも称する溝付き部８０４を有し、細長部材１１０に結合される。第一部８０１と第二部８０３は、締結機構を使って互いに係合して、側壁１２４を形成することが出来る。いくつかの実施形態においては、第一部８０１と第二部８０３はまた、互いに外して、細長部材１１０を細長部材１１４から分離することが出来る。
【手続補正３】
【補正対象書類名】明細書
【補正対象項目名】００６０
【補正方法】変更
【補正の内容】
【００６０】
側壁１２４は、第一部８０５と第二部８０７とを含む。第一部８０５は、切欠き部８０６を有し、細長部材１１４に結合される。第二部８０７は、突起部とも称する溝付部８０８を有し、細長部材１１０に結合される。第一部８０５と第二部８０７は、互いに係合して、側壁１２６を形成することができる。いくつかの実施形態においては、第一部８０５と第二部８０７は、互いに外して、細長部材１１０を細長部材１１４から分離することができる。
【手続補正４】
【補正対象書類名】明細書
【補正対象項目名】００８２
【補正方法】変更
【補正の内容】
【００８２】
図２１、図２２に示すように、いくつかの実施形態において、細長部材１１０、１１４の第一部８０３、８０１は、溝形状の凹部２１０２を有する。細長部材１１０、１１４の第二部８０５、８０７は、舌形状の凸部２１０４を有する。凹部２１０２は、凸部２１０４にカチッとはまって組み合わされ、組み立て後スペーサ１０６を形成する。いくつかの実施形態においては、凸部２１０４が凹部２１０２に押圧されて入れられたとき、摩擦により凸部２１０４と凹部２１０２が安定して保持されるように、凹部２１０２は、凸部２１０４よりも若干幅が狭くなっている。他の実施形態においては、凸部２１０４は、受け部２２１２と係合して、細長部材１１０、１１４を保持する突起２２１０（図２２に図示）を有する。
【手続補正５】
【補正対象書類名】明細書
【補正対象項目名】００８３
【補正方法】変更
【補正の内容】
【００８３】
いくつかの実施形態においては、第一部８０１、８０３を第二部８０５、８０７に接続するために、ジッパー機構を使用する。いくつかの実施形態においては、ジッパーは、第一部８０１、８０３を第二部８０５、８０７から外すためにも使われる。
【手続補正６】
【補正対象書類名】明細書
【補正対象項目名】００９１
【補正方法】変更
【補正の内容】
【００９１】
図２５は、細長部材１１０、細長部材１１４、側壁１２４、側壁１２６を含むスペーサ１０６の一例の断面図である。この実施形態においては、側壁１２４、１２６は、第一部２５０２、第二部２５０４を有する。第一部２５０２は凸部２５０６を有する。第二部２５０４は、凹部２５０８を有する。いくつかの実施形態においては、凹部２５０８は、溝の形状である。いくつかの実施形態においては、凸部２５０６は、舌の形状である。他の実施形態は、複数の溝と、複数の突起を含む。さらに他の考えられる実施形態は、複数の歯と、その歯を受け入れるための複数の離間した凹部を有する。
【手続補正７】
【補正対象書類名】明細書
【補正対象項目名】００９２
【補正方法】変更
【補正の内容】
【００９２】
細長部材１１０、１１４は、それに限定されるわけではないが、金属やプラスチックを含む材料により形成することができる。加えて、細長部材１１０、１１４は、それに限定されるわけではないが、圧延、曲げ成形、押し出し成形法を含む様々な方法により製造することができる。いくつかの実施形態において、凸部２５０６を有する第一部２５０２は、細長部材１１４に直接形成される。第二部２５０４は、例えば、材料を細長部材１１０上に押し出し成形することにより形成される。いくつかの実施形態においては、押し出しの過程において、凹部２５０８が形成される。他の実施形態においては、凹部２５０８は、切削、穿孔、ルーティングまたは第二部２５０４の一端の表面を研削して溝を形成するなどして、形成される。第二部２５０４は、金属、プラスチック、セラミック、もしくはそれらの組み合わせなどの材料で形成される。いくつかの実施形態においては、第二部２５０４は、熱接合、超音波溶接、接着剤、もしくは別の固定材の使用などによる一つ以上の固定方法によって、細長部材１１０に固着される。
【手続補正８】
【補正対象書類名】明細書
【補正対象項目名】００９３
【補正方法】変更
【補正の内容】
【００９３】
図２６は、細長部材１１０、細長部材１１４、側壁１２４、側壁１２６を有するスペーサ１０６のもう一つの例の断面図である。この実施形態においては、細長部材１１４は、平行な溝の形状の複数の凹部２６０２、２６０４を有する。側壁１２４、１２６は、側壁１２４、１２６の端部から延出する凸部２６０８、２６０６を含む。この実施形態において、凸部２６０６、２６０８は舌の形状である。凸部２６０６、２６０８は、凹部２６０２、２６０４と係合する。
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
粒状多結晶シリコンの充填物により搬送される不溶性ガスの量を制御するプロセスであって、
（ｉ）供給コンテナに粒状多結晶シリコンを充填する工程と、
（ii）シリコンの融点付近の温度、約１バール（約１００ｋＰａ）の圧力で、溶融シリコンに対する溶解度少なくとも約５×１０１３原子／ｃｍ３を有する、モル分率少なくとも０．９のガスを含む雰囲気を上記供給コンテナ内で形成する工程と、
（iii）上記充填された供給コンテナ内の圧力を低減する工程と、を含むプロセス。
【請求項２】
上記工程（ii）が、上記工程（iii）の前に実行される請求項１記載のプロセス。
【請求項３】
上記工程（iii）が、上記工程（ii）の前に実行される請求項１記載のプロセス。
【請求項４】
上記工程（ii）が、上記工程（ｉ）の前に実行される請求項１記載のプロセス。
【請求項５】
上記工程（ii）及び（iii）の少なくとも一方が少なくとも２回実行される請求項１記載のプロセス。
【請求項６】
上記ガスが、シリコンの融点付近の温度、約１バール（約１００ｋＰａ）の圧力で、溶融シリコンに対する溶解度少なくとも約１×１０１４原子／ｃｍ３を有する請求項１記載のプロセス。
【請求項７】
上記ガスが、シリコンの融点付近の温度、約１バール（約１００ｋＰａ）の圧力で、溶融シリコンに対する溶解度少なくとも約１×１０１５原子／ｃｍ３を有する請求項１記載のプロセス。
【請求項８】
上記ガスが、シリコンの融点付近の温度、約１バール（約１００ｋＰａ）の圧力で、溶融シリコンに対する溶解度少なくとも約１×１０１６原子／ｃｍ３を有する請求項１記載のプロセス。
【請求項９】
上記ガスが、シリコンの融点付近の温度、約１バール（約１００ｋＰａ）の圧力で、溶融シリコンに対する溶解度少なくとも約１×１０１７原子／ｃｍ３を有する請求項１記載のプロセス。
【請求項１０】
上記ガスが、シリコンの融点付近の温度、約１バール（約１００ｋＰａ）の圧力で、溶融シリコンに対する溶解度少なくとも約６×１０１８原子／ｃｍ３を有する請求項１記載のプロセス。
【請求項１１】
上記雰囲気が、窒素、水素、塩素、塩化水素、アンモニア、及びこれらの組み合わせからなる群から選択された、モル分率少なくとも０．９のガスを含む請求項１記載のプロセス。
【請求項１２】
上記雰囲気が、モル分率少なくとも０．９の窒素を含む請求項１記載のプロセス。
【請求項１３】
上記モル分率が、シリコンの融点付近の温度、約１バール（約１００ｋＰａ）の圧力で、溶融シリコンに対する溶解度少なくとも約５×１０１３原子／ｃｍ３を有するガスの少なくとも０．９５である請求項１記載のプロセス。
【請求項１４】
上記モル分率が、シリコンの融点付近の温度、約１バール（約１００ｋＰａ）の圧力で、溶融シリコンに対する溶解度少なくとも約５×１０１３原子／ｃｍ３を有するガスの少なくとも０．９７である請求項１記載のプロセス。
【請求項１５】
上記充填された供給コンテナ内の圧力を、約０トール（０ｋＰａ）〜約４０トール（約５．３ｋＰａ）に減少させる請求項１記載のプロセス。
【請求項１６】
上記圧力を、約１５秒〜約６０秒の継続期間内に減少させる請求項１記載のプロセス。
【請求項１７】
上記雰囲気が、上記供給コンテナ内において、約１０トール（約１．３ｋＰａ）〜約１ａｔｍ（約１０１．３ｋＰａ）の大気圧で形成される請求項１記載のプロセス。
【請求項１８】
上記大気圧において、上記供給コンテナ内において、約１５秒〜約６０分の期間上記雰囲気を保持する工程をさらに有する請求項１７記載のプロセス。
【請求項１９】
上記雰囲気が、上記供給コンテナ内において、約１０トール（約１．３ｋＰａ）〜約１００トール（約１３．３ｋＰａ）の大気圧で形成される請求項１記載のプロセス。
【請求項２０】
上記大気圧において、上記供給コンテナ内において、約１５秒〜約６０分の期間上記雰囲気を保持する工程をさらに含む請求項１９記載のプロセス。
【請求項２１】
結晶引上装置の成長チャンバにおける坩堝においてシリコン融液を調製するプロセスであって、
当該結晶引上装置の成長チャンバに存する坩堝に対して初期充填の多結晶シリコンを供給し、ある割合の当該初期充填物を溶解しそれにより部分的に溶解した充填物を作製する工程と、
シリコンの融点付近の温度、約１バール（約１００ｋＰａ）の圧力で、溶融シリコンに対する溶解度少なくとも約５×１０１３原子／ｃｍ３を有する、モル分率少なくも０．９のガスを有する雰囲気を含む供給コンテナにおいて、初期充填物を溶融しつつ、粉状の多結晶シリコンを保持する工程と、
上記初期充填を補助するため、保持された粉状多結晶シリコンを上記坩堝に供給し、補助された粉状多結晶シリコン充填物を溶融し、上記坩堝においてシリコン融液を生成する工程と、を含むプロセス。
【請求項２２】
粒状多結晶シリコンを供給コンテナ内に保持しながら、シリコンの融点付近の温度、約１バール（約１００ｋＰａ）の圧力で、溶融シリコンに対する溶解度少なくとも約５×１０１３原子／ｃｍ３を有するガスのストリームを当該供給コンテナに導入する工程をさらに含む請求項２１記載のプロセス。
【請求項２３】
補助粒状多結晶シリコンの充填物を供給する前、部分的に溶解された充填物に対してアルカリ土類金属を供給する工程をさらに備える請求項２２記載のプロセス。
【請求項２４】
補助粒状多結晶シリコンの充填物を供給する前、部分的に溶解された充填物に対してアルカリ土類金属を供給する工程をさらに備える請求項２１記載のプロセス。
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
合成物を非ヒトの生体内へ導入することによる、美容、診断および治療のための抗体の製造方法であって、
上記合成物は、本質不規則配列を持つ１つ以上のペプチドであり、
上記ペプチドは、アミノ酸の第２級アミンの機能が、不可逆的な共有結合によって改変されている、抗体の製造方法。
【請求項２】
合成物を非ヒトの生体内へ導入することによる、美容、診断および治療のための抗体の製造方法であって、
上記合成物は、本質不規則配列を持つ１つ以上のペプチドであり、
上記ペプチドは、アミノ酸の二次アミノ機能で共有、付加逆な方法で組み換えられている、抗体の製造方法。
【請求項３】
上記抗体を調製するための合成物が、重合された複数の改変ペプチドを含む、請求項１または２に記載の製造方法。
【請求項４】
上記抗体を調製するための合成物が、同一のタンパク質に由来する複数の改変ペプチドを含む、請求項１または２に記載の製造方法。
【請求項５】
上記抗体を調製するための合成物が、異なるタンパク質に由来する複数の改変ペプチドを含む、請求項１または２に記載の製造方法。
【請求項６】
上記抗体を調製するための合成物が、配列番号１〜５８にて示される配列を有する１つ以上の本質不規則改変タンパク質を含む、請求項１または２に記載の製造方法。
【請求項７】
請求項１〜６の何れか１項に記載の製造方法によって得られる抗体であって、
上記抗体を調製するための合成物が、配列番号１〜５８にて示されるタンパク質改変配列の１つまたは部分を含む、抗体。
【請求項８】
診断のための製品、化粧品、または変性疾患の予防または治療のための薬の製造のため
の、請求項７に記載の抗体の使用。
【請求項９】
配列番号１〜５８の何れかにて示されるタンパク質改変配列、または、当該タンパク質改変配列の部分を含む、病理アポトーシスに対するワクチン。
【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
有害な虫又はダニを駆除及び／又は防除する方法であって、
式（Ｉ）
【化１】
2011502976.tif 000001
（式中、
Ｒ1は、エチル；又はプロピル（ｎ−プロピル又はイソ−プロピル）；又はブチル；又はハロゲン、シアノ、シクロプロピル、Ｃ1-3アルコキシ、プロパルギルオキシ、Ｃ1-3アルキルスルフィニル、Ｃ1-3アルキルスルホニル、ホルミル、Ｃ1-3アルキルカルボニル、シクロプロピルカルボニル、Ｃ1-3ハロアルキルカルボニル、Ｃ1-3アルコキシカルボニル、Ｃ1-3アルキルチオカルボニル、アミノカルボニル、Ｃ1-3アルキルアミノカルボニル、Ｎ,Ｎ−ジ−（Ｃ1-3アルキル）アミノカルボニル、Ｃ1-3アルキルカルボニルオキシ、Ｃ1-3ハロアルキルカルボニルオキシ、シクロプロピルカルボニルオキシ、ベンゾイルオキシ、又はＣ1-3アルコキシカルボニルオキシで置換されるＣ1-3アルキル；又はハロゲン、シアノ、Ｃ1-3アルコキシ、Ｃ1-3ハロアルコキシ、Ｃ1-3アルキルチオ、Ｃ1-3ハロアルキルチオ、Ｃ1-3アルキルスルフィニル、Ｃ1-3アルキルスルホニル、Ｃ1-3アルキルカルボニル、又はＣ1-3アルコキシカルボニルで任意に置換されるＣ2-4アルケニル；又はハロゲン、シアノ、又はＣ1-3アルコキシで任意に置換されるＣ2-4アルキニル；又はハロゲン、又はＣ1-3アルキルで任意に置換されるＣ3-6シクロアルキルであり、
Ｒ2は、Ｃ1-5アルキル、Ｃ1-5ハロアルキル、Ｃ2-5アルケニル、Ｃ2-5ハロアルケニル、Ｃ2-5アルキニル、Ｃ3-6シクロアルキル、Ｃ1-5アルコキシ、Ｃ1-5ハロアルコキシ、Ｃ1-3アルコキシ（Ｃ1-3）アルキル、Ｃ1-5アルキルチオ、Ｃ1-5ハロアルキルチオ、Ｃ1-5アルキルスルホニル、Ｃ1-5アルキルスルフィニル、Ｃ1-5ハロアルキルスルホニル、Ｃ1-5ハロアルキルスルフィニル、シアノ、ニトロ、ハロゲン、又はホルミルであり；
Ｒ4は、水素、メチル又はハロゲンであり；
Ｒ5は、水素、メチル又はハロゲンであり；
Ｒ6は、水素、メチル、又はハロゲンであり；及び
Ｚは水素である）
の化合物、又はその塩もしくはＮ−オキシドを、前記有害生物、又は当該有害生物の生育場所、又は当該有害生物により攻撃を受け易い植物に施用することを含んでなる、方法。
【請求項２】
Ｒ2が、メチル、フルオロメチル、ジフルオロメチル、トリフルオロメチル、フッ素、塩素又は臭素である、請求項１に記載の方法。
【請求項３】
Ｒ4、Ｒ5及びＲ6が各々水素である、請求項１に記載の方法。
【請求項４】
式（ＩＡ）
【化２】
2011502976.tif 000002
（式中、Ｒ1、Ｒ2、Ｒ4、Ｒ5、Ｒ6及びＺは請求項１で定義した通りである）
の化合物、又はその塩もしくはＮ−オキシド。
【請求項５】
請求項４で定義した式（ＩＡ）の化合物を含んでなる、殺虫又は殺ダニ組成物。
【請求項６】
触媒の存在下、式（４）
【化３】
2011502976.tif 000003
の化合物を、式（５）
【化４】
2011502976.tif 000004
（式中、Ｒ1、Ｒ2、Ｒ4、Ｒ5、Ｒ6及びＺは請求項１で定義した通りである）のジアミンと反応させることを含んでなる、請求項１で定義した式（Ｉ）又は請求項４で定義した式（ＩＡ）の化合物の製造方法。
【請求項７】
式（４）
【化５】
2011502976.tif 000005
（式中、Ｒ1、Ｒ2、Ｒ4、Ｒ5及びＲ6は請求項１で定義した通りである）
の化合物。
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
オクタデカボラン（Ｂ１８Ｈ２２）を合成する方法であって、
（ａ）溶媒中のボランアニオンＢ２０Ｈ１８２−を酸と接触させて、Ｈ２Ｂ２０Ｈ１８・ｘＨ２Ｏの溶液を生成するステップと、
（ｂ）水および／または残渣溶媒を、Ｈ２Ｂ２０Ｈ１８・ｘＨ２Ｏ濃縮溶液から除去するステップと、
（ｃ）Ｂ１８Ｈ２２を単離するステップ
とを含む、方法。
【請求項２】
オクタデカボラン（Ｂ１８Ｈ２２）を合成する方法であって、
（ａ）溶媒中のボランアニオンＢ２０Ｈ１８２−を、酸と接触させて、Ｈ２Ｂ２０Ｈ１８・ｘＨ２Ｏの溶液を生成するステップと、
（ｂ）所望により、Ｈ２Ｂ２０Ｈ１８・ｘＨ２Ｏを含む混合物を濃縮するステップと、
（ｃ）水および残渣溶媒をＨ２Ｂ２０Ｈ１８・ｘＨ２Ｏ溶液から除去するステップと、
（ｄ）所望により、生じた残渣を溶解するステップと、
（ｅ）好ましくは、Ｂ１８Ｈ２２を含む層と副生成物を含む層とを分離するステップと、
（ｆ）高純度Ｂ１８Ｈ２２を単離するステップと、
（ｇ）所望により、副生成物層を再利用するステップ
とを含む、方法。
【請求項３】
オクタデカボラン（Ｂ１８Ｈ２２）を合成する方法であって、
（ａ）アセトニトリル：水の混合溶媒中のボランアニオンＢ２０Ｈ１８２−を、酸性イオン交換樹脂と接触させて、Ｈ２Ｂ２０Ｈ１８・ｘＨ２Ｏの溶液を生成するステップと、
（ｂ）Ｈ２Ｂ２０Ｈ１８・ｘＨ２Ｏを含む混合物を濃縮するステップと、
（ｃ）３０〜５５℃の減圧オーブンを使用して、水および溶媒を反応混合物から除去するステップと、
（ｄ）アセトニトリル：ヘキサン二相性溶媒混合物で反応残渣を抽出するステップと、
（ｅ）ヘキサン層をアセトニトリル層から分離するステップと、
（ｆ）ヘキサン層をアセトニトリルで洗浄後、水で洗浄するステップと、
（ｇ）ヘキサン溶液を除去または濃縮して、Ｂ１８Ｈ２２を単離するステップと、
（ｈ）アセトニトリル層およびアセトニトリル洗浄液を、（ａ）〜（ｇ）のステップに従って処理するステップ
とを含む、方法。
【請求項４】
オクタデカボラン（Ｂ１８Ｈ２２）を合成する方法であって、
（ａ）６：１のアセトニトリル：水の混合溶媒中のボランアニオンＢ２０Ｈ１８２−を、アンバーライト酸性イオン交換樹脂と接触させて、Ｈ２Ｂ２０Ｈ１８・ｘＨ２Ｏの溶液を生成するステップと、
（ｂ）Ｈ２Ｂ２０Ｈ１８・ｘＨ２Ｏを含む混合物を濃縮するステップと、
（ｃ）４０℃の減圧オーブンを使用して、水および溶媒を反応混合物から除去するステップと、
（ｄ）アセトニトリル：ヘキサン二相性溶媒混合物で反応残渣を抽出するステップと、
（ｅ）ヘキサン層をアセトニトリル層から分離するステップと、
（ｆ）ヘキサン層をアセトニトリルで洗浄後、水で洗浄するステップと、
（ｇ）ヘキサン溶液を除去または濃縮して、Ｂ１８Ｈ２２を単離するステップ
とを含む、方法。
【請求項５】
オクタデカボラン（Ｂ１８Ｈ２２）を合成する方法であって、
（ａ）６：１のアセトニトリル：水の混合溶媒中のボランアニオンＢ２０Ｈ１８２−を、アンバーライト酸性イオン交換樹脂と接触させて、Ｈ２Ｂ２０Ｈ１８・ｘＨ２Ｏの溶液を生成するステップと、
（ｂ）Ｈ２Ｂ２０Ｈ１８・ｘＨ２Ｏを含む混合物を濃縮するステップと、
（ｃ）４０℃の減圧オーブンを使用して、水および溶媒を反応混合物から除去するステップと、
（ｄ）アセトニトリル：ヘキサン二相性溶媒混合物で反応残渣を抽出するステップと、
（ｅ）ヘキサン層をアセトニトリル層から分離するステップと、
（ｆ）ヘキサン層をアセトニトリルで洗浄後、水で洗浄するステップと、
（ｇ）ヘキサン溶液を除去または濃縮して、Ｂ１８Ｈ２２を単離するステップと、
（ｈ）アセトニトリル層およびアセトニトリル洗浄液を使用して、少なくとも１回（ａ）〜（ｇ）のステップを繰り返すステップ
とを含む、方法。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
オクタデカボラン（Ｂ１８Ｈ２２）を合成する方法であって、
（ａ）ボランアニオンＢ１０Ｈ１０２−を酸化剤と接触させて、Ｂ２０Ｈ１８２−を生成するステップと、
（ｂ）前記ボランアニオンＢ２０Ｈ１８２−を酸と接触させて、Ｈ２Ｂ２０Ｈ１８・ｘＨ２Ｏを生成するステップ
とを含む、方法。
【請求項２】
オクタデカボラン（Ｂ１８Ｈ２２）を合成する方法であって、
（ａ）ボランアニオンＢ１０Ｈ１０２−を酸化剤と接触させて、Ｂ２０Ｈ１８２−を生成するステップと、
（ｂ）前記ボランアニオンＢ２０Ｈ１８２−を酸と接触させて、Ｈ２Ｂ２０Ｈ１８・ｘＨ２Ｏを生成するステップと
（ｃ）不溶性副生成物を反応混合物より分離するステップ
とを含む、方法。
【請求項３】
オクタデカボラン（Ｂ１８Ｈ２２）を合成する方法であって、
（ａ）ボランアニオンＢ2０Ｈ１8２−と酸とを接触させて、Ｈ２Ｂ２０Ｈ１８・ｘＨ２Ｏを生成するステップと、
（ｂ）系において本質的に化学的に不活性である、Ｂ１８Ｈ２２を溶解する溶媒の存在下で反応槽から水を除去するステップと、
（ｃ）（ｉ）濾過および／または（ｉｉ）反応溶媒の濃縮、Ｂ１８Ｈ２２の脂肪族溶媒への溶解、および副生成物の濾過により、反応混合物から不溶性副生成物を分離するステップ
とを含む、方法。
【請求項４】
オクタデカボラン（Ｂ１８Ｈ２２）を合成する方法であって、
（ａ）Ｂ１０Ｈ１０２-のアンモニウム塩を、酸性水（ｐＨ≦２．０）中で、ＦｅＣｌ３と接触させて、Ｂ２０Ｈ１８２-を生成するステップと、
（ｃ）前記ボランアニオンＢ２０Ｈ１８２−を酸と接触させて、その場でＨ２Ｂ２０Ｈ１８・ｘＨ２Ｏを生成するステップと、
（ｄ）反応槽より水を除去するステップと、
（ｅ）反応混合物から不溶性副生成物を分離するステップと、
（ｆ）所望により、溶媒を除去してホウ酸とホウ酸塩が混入している粗製Ｂ１８Ｈ２２を得るステップと、
（ｇ）粗製Ｂ１８Ｈ２２をヘキサン中に溶解し、そして不溶物を濾過するステップ
とを含む、方法。
【請求項５】
オクタデカボラン（Ｂ１８Ｈ２２）を合成する方法であって、
（ａ）ボランアニオンＢ２０Ｈ１８２−をトルエンおよび水中で、５〜４０モル当量のｐ−トルエンスルホン酸と接触させて、その場でＨ２Ｂ２０Ｈ１８・ｘＨ２Ｏを生成するステップと、
（ｂ）加温トルエン（９０℃〜１２０℃）の存在下で、ディーン・スターク水分トラップ（図３を参照）を使用して、反応槽より水を除去するステップと、
（ｃ）濾過により、反応混合物から不溶性副生成物を分離するステップと、
（ｄ）トルエンを除去または濃縮して、ホウ酸とホウ酸塩が混入している粗製Ｂ１８Ｈ２２を残すステップと、
（ｅ）粗製Ｂ１８Ｈ２２をヘキサン中に溶解し、かつ不溶物を濾過するステップと、
（ｆ）ヘキサンを除去して、Ｂ１８Ｈ２２を単離するステップ
とを含む、方法。
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
オクタデカボラン（Ｂ１８Ｈ２２）を合成する方法であって、
（ａ）ボランアニオンＢ２０Ｈ１８２−の塩を酸と接触させて、Ｈ２Ｂ２０Ｈ１８・ｘＨ２Ｏを生成するステップと、
（ｂ）系において本質的に化学的に不活性である、Ｂ１８Ｈ２２を溶解する溶媒の存在下で反応槽から水を除去するステップ
とを含む、方法。
【請求項２】
オクタデカボラン（Ｂ１８Ｈ２２）を合成する方法であって、
（ａ）溶媒中のボランアニオンＢ２０Ｈ１８２−を酸と接触させて、Ｈ２Ｂ２０Ｈ１８・ｘＨ２Ｏの溶液を生成するステップと、 
（ｂ）所望により、Ｈ２Ｂ２０Ｈ１８・ｘＨ２Ｏを含む混合物を濃縮するステップと、
（ｃ）系において本質的に化学的に不活性である、Ｂ１８Ｈ２２を溶解する溶媒の存在下で反応槽から水を除去するステップと、
（ｄ）所望により、（ｉ）濾過および／または（ｉｉ）反応溶媒の濃縮、Ｂ１８Ｈ２２の脂肪族溶媒への溶解、そして副生成物の濾過により、反応混合物から不溶性副生成物を分離するステップと、
とを含む、方法。
【請求項３】
オクタデカボラン（Ｂ１８Ｈ２２）を合成する方法であって、
（ａ）溶媒中のボランアニオンＢ２０Ｈ１８２−を酸性イオン交換樹脂と接触させて、Ｈ２Ｂ２０Ｈ１８・ｘＨ２Ｏの溶液を生成するステップと、 
（ｂ）Ｈ２Ｂ２０Ｈ１８・ｘＨ２Ｏを含む混合物を濃縮するステップと、
（ｃ）系において本質的に化学的に不活性である、Ｂ１８Ｈ２２を溶解する溶媒の存在下で、反応槽から水を除去するステップと、
（ｄ）（ｉ）濾過および／または（ｉｉ）反応溶媒の濃縮、Ｂ１８Ｈ２２の脂肪族溶媒への溶解、そして副生成物の濾過により、反応混合物から不溶性副生成物を分離するステップと、
（ｅ）溶媒を除去して、Ｂ１８Ｈ２２を単離するステップ
とを含む、方法。
【請求項４】
オクタデカボラン（Ｂ１８Ｈ２２）を合成する方法であって、
（ａ）体積比で６：１のアセトニトリル：水の混合溶媒中のボランアニオンＢ２０Ｈ１８２−をアンバーライト酸性イオン交換樹脂と接触させて、Ｈ２Ｂ２０Ｈ１８・ｘＨ２Ｏの溶液を生成するステップと、 
（ｂ）Ｈ２Ｂ２０Ｈ１８・ｘＨ２Ｏを含む混合物を濃縮するステップと、
（ｃ）加温したトルエン（９０℃〜１２０℃）の存在下で、ディーン・スターク水分トラップ（図３を参照）を用いて、反応槽から水を除去するステップと、
（ｄ）濾過により、反応混合物から不溶性副生成物を分離するステップと、
（ｅ）トルエンを除去または濃縮して、ホウ酸及びホウ酸塩で汚染されている粗製Ｂ１８Ｈ２２を残すステップと、
（ｆ）前記粗製Ｂ１８Ｈ２２をヘキサンに溶解し、そして不溶物を濾過するステップと、
（ｇ）ヘキサンを除去して、Ｂ１８Ｈ２２を単離するステップ
とを含む、方法。
【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
関連する初期化データを有するエンコード化信号を提供するように信号をエンコードするステップと、
前記エンコード化信号を伝送するステップであって、前記伝送される信号が、前記エンコード化信号を搬送するためにバースト単位で生じ、各バーストが、期間を有し、タイムスライシングサイクルで発生し、各タイムスライシングサイクルが、少なくとも前記バースト期間とオフタイムとを含む、前記エンコード化信号を伝送するステップと
を含む方法であって、
前記初期化データは、バーストで送信され、新しい初期化データが伝送用に受信されるまで以降のすべてのバーストで繰り返されることを特徴とする方法。
【請求項２】
前記初期化データは、ＭＰＥＧ−２  Ｉフレーム、Ｈ−２６４パラメータセット、頑強なヘッダ圧縮（Ｒｏｂｕｓｔ  Ｈｅａｄｅｒ  Ｃｏｍｐｒｅｓｓｉｏｎ）初期化リフレッシュパケット、およびＲＴＣＰ送信機レポートのうちの１つであることを特徴とする請求項１に記載の方法。
【請求項３】
前記繰り返される初期化データはバイト単位のサイズを有し、
前記エンコードするステップは、前記繰り返される初期化データの前記サイズに応じて前記エンコード化信号のビットレートを調整するステップを含むことを特徴とする請求項１に記載の方法。
【請求項４】
信号を受信するステップであって、前記信号がバースト単位で発生し、エンコード化信号を搬送し、各バーストが期間を有し、タイムスライシングサイクルで発生し、各タイムスライシングサイクルが少なくとも前記バースト期間とオフタイムとを含む、受信するステップと、
初期化データを、受信したすべてのバーストから復元するステップであって、前記初期化データは前記エンコード化信号に関連する、復元するステップと
を含み、
前に受信したバーストから繰り返されている、復元した初期化データを破棄するステップを含むことを特徴とする方法。
【請求項５】
前記初期化データは、ＭＰＥＧ−２  Ｉフレーム、Ｈ−２６４パラメータセット、頑強なヘッダ圧縮初期化リフレッシュパケット、およびＲＴＣＰ送信機レポートのうちの１つであることを特徴とする請求項４に記載の方法。
【請求項６】
信号をエンコードして、関連する初期化データを有するエンコード化信号を提供するエンコーダと、
前記エンコード化信号を伝送する変調器であって、前記伝送される信号が、前記エンコード化信号を搬送するためにバースト単位で生じ、各バーストが、期間を有し、タイムスライシングサイクルで発生し、各タイムスライシングサイクルが、少なくとも前記バースト期間とオフタイムとを含む、変調器と
を備えた装置であって、
前記初期化データは、バーストで送信され、新しい初期化データが伝送用に受信されるまで以降のすべてのバーストで繰り返されることを特徴とする装置。
【請求項７】
前記初期化データは、ＭＰＥＧ−２  Ｉフレーム、Ｈ−２６４パラメータセット、頑強なヘッダ圧縮初期化リフレッシュパケット、およびＲＴＣＰ送信機レポートのうちの１つであることを特徴とする請求項６に記載の装置。
【請求項８】
前記繰り返される初期化データはバイト単位のサイズを有し、前記エンコーダは、前記繰り返される初期化データの前記サイズに応じて前記エンコード化信号のビットレートを調整することを特徴とする請求項６に記載の装置。
【請求項９】
前記エンコード化信号を記憶するバッファと、
繰り返される初期化データを記憶するバッファと、
前記繰り返される初期化データまたは前記記憶されたエンコード化信号のいずれかを伝送のために前記変調器に提供する多重化装置と
をさらに備えたことを特徴とする請求項６に記載の装置。
【請求項１０】
復調信号を提供する復調器であって、前記復調信号が、バースト単位で生じ、エンコード化信号を搬送し、各バーストが、期間を有し、タイムスライシングサイクルで発生し、各タイムスライシングサイクルが、少なくとも前記バースト期間とオフタイムとを含む、復調器と、
初期化データを、受信したすべてのバーストから復元するプロセッサであって、前記初期化データは前記エンコード化信号に関連する、プロセッサと
を備えた装置であって、
前記プロセッサは、前に受信したバーストから繰り返されている、復元した初期化データを破棄することを特徴とする装置。
【請求項１１】
前記初期化データは、ＭＰＥＧ−２  Ｉフレーム、Ｈ−２６４パラメータセット、頑強なヘッダ圧縮初期化リフレッシュパケット、およびＲＴＣＰ送信機レポートのうちの１つであることを特徴とする請求項１０に記載の装置。
【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
眼球内レンズ送達装置であって、
ａ）ボアを持つ、カートリッジと、
ｂ）前記カートリッジを受けるノッチ部を持つ、ハンドピースと、
ｃ）前記カートリッジが前記ハンドピースの前記ノッチ部内で受けられると、前記カートリッジの前記ボア内でレシプロ運動する末端部と、該末端部と反対側にある近端部とを持ち、かつ、前記ハンドピース内で同軸的に受けられる、プランジャーと、
ｄ）前記プランジャーの前記近端部で受けられる、溝を有する外側シャフトと、
ｅ）前記ハンドピースに回転可能に取付けられ、かつ、前記外側シャフトの前記溝に沿って動く複数のロッキング・ボールを持つ、ボール・ロック・リングと、
ｆ）前記ロッキング・ボールに対応する、前記ボール・ロック・リング内の複数の解放アングルであって、前記ボール・ロック・リングの回転に応じて、二者択一的に、前記ロッキング・ボールを前記外側シャフトの前記溝に押し込み又は該溝から押出す、複数の解放アングルと、
を具備する、眼球内レンズ送達装置。
【請求項２】
前記ロッキング・ボールを前記外側シャフトの前記溝から押出すことによって、前記プランジャーが前記ハンドピース内で押されるようにされる、請求項1に記載のレンズ送達装置。
【請求項３】
前記溝を有する外側シャフトを回転させることによって、前記プランジャーが前記ハンドピース内でレシプロ運動する、請求項1に記載のレンズ送達装置。
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
使い捨て製品用の締結タブであって、
ａ）製造業者用の端部（２）とその反対側のユーザー用の端部（３）とを有する裏材（１）であって、前記締結タブが、前記使い捨て製品にその製造業者用の端部（２）にて固定されるようになされており、前記ユーザー用の端部（３）がフィンガーリフト（１１）を備える裏材（１）と、
ｂ）前記裏材（１）の前記ユーザー用の端部（３）に取り付けられた機械的締結要素（４）とを備え、
前記ユーザー用の端部（３）は、該ユーザー用の端部（３）の一部によって前記機械的締結要素（４）が少なくとも部分的に被覆されるようにＺ字形状に折り畳まれ、前記締結タブの前記ユーザー用の端部（３）に引張力が加えられると、前記ユーザー用の端部（３）の前記Ｚ字形状の部分が解放され、前記機械的締結要素（４）が露出されるように前記機械的締結要素（４）の被覆が除去される締結タブ。
【請求項２】
使い捨て製品用の締結タブであって、
製造業者用の端部（２）とその反対側のユーザー用の端部（３）とを有する裏材（１）であって、前記締結タブが、前記使い捨て製品にその製造業者用の端部（２）にて固定されるようになされている裏材（１）と、
前記裏材（１）にそのユーザー用の端部（３）にて取り付けられた機械的締結要素（４）と、
前記裏材に堅固に取り付けられた第１の脚部（６）と、折り目の周辺で前記機械的締結要素（４）の上に折り畳まれた第２の脚部（７）とを有する解放用テープ（５）であって、前記第２の脚部（７）が前記機械的締結要素（４）を被覆する解放用テープ（５）とを備える締結タブ。
【請求項３】
バックシートと、トップシートと、それらの間の吸収性コアと、締結タブとを備えるおむつであって、前記締結タブが、製造業者用の端部（２）とその反対側のユーザー用の端部（３）とを有する裏材（１）であって、前記締結タブが、前記おむつにその製造業者用の端部（２）にて固定される裏材（１）と、該裏材（１）にそのユーザー用の端部（３）にて取り付けられた機械的締結要素（４）と、該機械的締結要素（４）を解放可能に被覆するための、前記おむつの前記トップシートに取り付けられる被覆用ストリップ（１２）であって、被覆用ストリップ（１２）と前記トップシートとの間の取付けが、被覆用ストリップ（１２）と機械的締結要素（４）との間の取付けよりも相当に強固である被覆用ストリップ（１２）とを備えるおむつ。
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
生体膜及び光感作性物質を含有してなる、光活性化可能な膜デバイス。
【請求項２】
生体膜が、羊膜、哺乳動物の膜、及び合成膜からなる群より選択される、請求項１に記載のは膜デバイス。
【請求項３】
生体膜が、上皮層、基底膜層、及び結合組織層を含有している、請求項１又は２に記載の膜デバイス。
【請求項４】
光感作性物質が、キサンテン類、フラビン類、チアジン類、ポルフィリン類、拡張ポルフィリン類、及びクロロフィル類の少なくとも１つよりなる群から選ばれる化合物である、請求項１〜３の何れか一項に記載の膜デバイス。
【請求項５】
光感作性物質が、生体膜上にコーティングされている、請求項１〜４の何れか一項に記載の膜デバイス。
【請求項６】
光感作性物質が、生体膜の上皮層、基底膜層、及び結合組織層の１つ又はそれ以上の層にコーティングされている、請求項５に記載の膜デバイス。
【請求項７】
感受性物質が、生体膜上に、最高濃度から最低濃度に勾配させてコーティングされている、請求項５又は６に記載の膜デバイス。
【請求項８】
生体膜が、膜シートの１つ又はそれ以上の層から成っている、請求項１〜７の何れか一項に記載の膜デバイス。
【請求項９】
膜シートの層が、電磁放射によって互いに接着している、請求項１〜８の何れか一項に記載の膜デバイス。
【請求項１０】
生体膜が、形状に適合している、請求項１〜８の何れか一項に記載の膜デバイス。
【請求項１１】
形状が、円筒、平面、目的の組織の輪郭に適合するように予備成形された、又は望ましい輪郭に適合するように予備成形された何れかの形状である、請求項１０に記載の膜デバイス。
【請求項１２】
円筒の形状のものが、ステント又は被覆として用いられる、請求項１１に記載の膜デバイス
【請求項１３】
生体膜が、１つ又はそれ以上の孔を有している、請求項１〜１２の何れか一項に記載の膜デバイス。
【請求項１４】
孔の直径が、１０〜７５０μｍの間である、請求項１３に記載の膜デバイス。
【請求項１５】
生体膜の端部が、先細になっている、請求項１〜１４の何れか一項に記載の膜デバイス。
【請求項１６】
生体膜の端部が、突起を含有している、請求項１５に記載の膜デバイス。
【請求項１７】
突起が、生体膜、羊膜、金属支柱、ニチノール支柱、プラスチック支柱、又はポリテトラフルオロエチレン（ＰＴＦＥ）、テフロン（登録商標）、プラスチック、ゴム、ニチノール又は生分解性複合材料等のような複合材料の少なくとも１つを含有してなる、請求項１６に記載の膜デバイス。
【請求項１８】
膜デバイスが、
膜デバイスを目的の内腔解剖学的構造の内腔表面に配置すること；及び
電磁エネルギーを加えること；
それによって生体膜を内腔解剖学的構造に接着すること：
を含有してなる、生体膜を内腔解剖学的構造に接着する方法において使用するためのものである、請求項１〜１７の何れか一項に記載の膜デバイス。
【請求項１９】
膜デバイスが、
膜デバイスを、安定化を必要としている内腔解剖学的構造に配置すること；
電磁エネルギーを、組織と結合するために有効な方法で、膜デバイスに加えること；
それによって内腔解剖学的構造の機械的特性を修正すること：
を含有してなる、内腔解剖学的構造の機械的特性を修正する方法において使用するためのものである、請求項１〜１７の何れか一項に記載の膜デバイス。
【請求項２０】
膜デバイスが、
膜デバイスを動脈硬化性プラークに配置すること；
電磁エネルギーを、膜を動脈硬化性プラークに結合するために有効な方法で、膜デバイスに加えること；それによって動脈硬化性プラークを治療又は予防すること：
を含有してなる、動脈硬化性プラークを治療又は予防する方法において使用するためのものである、請求項１〜１７の何れか一項に記載の膜デバイス。
【請求項２１】
動脈硬化性プラークが、薄皮膜線維粥腫（ＴＣＦＡ）、壊死性コア線維粥腫、薄皮膜線維粥腫、びらん、又は表在性石灰化の少なくとも１つである、請求項２０に記載の膜デバイス。
【請求項２２】
動脈硬化性プラークへの配置が、バルーンである、請求項２０に記載の膜デバイス。
【請求項２３】
電磁エネルギーを生体膜及び内腔解剖学的構造の一方又は両方に加える、請求項１８〜２２の何れか一項に記載の膜デバイス。
【請求項２４】
膜デバイスが、
膜デバイスを目的の内腔解剖学的構造の内腔表面に配置すること；及び
電磁エネルギーを加えること；
それによって目的の内腔解剖学的構造内の細胞増殖及び遊走を促進すること：
を含有してなる、目的の内腔解剖学的構造内の細胞増殖を促進する方法において使用するためのものである、請求項１〜１７の何れか一項に記載の膜デバイス。
【請求項２５】
細胞が、上皮型又は内皮型の細胞の少なくとも１つである、請求項２４に記載の膜デバイス。
【請求項２６】
細胞増殖が血栓生成を緩和する、請求項２４に記載の膜デバイス。
【請求項２７】
生体膜を内腔解剖学的構造の内腔内に位置付ける、請求項１８〜２４の何れか一項に記載の膜デバイス。
【請求項２８】
この方法を実施する前に内腔解剖学的構造を修正しない、請求項２７に記載の膜デバイス。
【請求項２９】
この方法を実施する前に、内腔解剖学的構造の上皮細胞及び内皮細胞を除去する、請求項２７に記載の膜デバイス。
【請求項３０】
この方法を実施する前に、内腔解剖学的構造を前処理する、請求項２７に記載の膜デバイス。
【請求項３１】
内腔解剖学的構造内に送達可能なような形態を有している特定の構造であって、その構造は光活性化可能な物質を包含していて、少なくとも１つの電磁放射によって活性化すると、内腔解剖学的構造の少なくとも一部分に結合する、特定の構造を含有してなる、内腔解剖学的構造に結合するための配置アレンジ。
【手続補正書】
【提出日】平成23年5月27日(2011.5.27)
【手続補正１】
【補正対象書類名】明細書
【補正対象項目名】００３５
【補正方法】変更
【補正の内容】
【００３５】
図２に表されているように、たとえば、弁１０は、その中で保持されることが意図された挿入物１６に実質的に接する最小の開口径を有することが好ましい。しかし、このような弁１０の要求は、挿入物がその中に位置するときに葉状部１４が弁の中心から外側へ付勢される場合など、図２に示される挿入物１６よりも長い挿入物と同様に、挿入物１６よりも小さい径の挿入物よりも十分に機能するということではない。
【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
第１のラッチ部材を有するスライドアセンブリと、
前記スライドアセンブリの少なくとも一部分を受容するように構成されたラッチ凹部、及び前記第１のラッチ部材と解放可能に係合するように構成された第２のラッチ部材を有し、フィルタカートリッジを解放可能な係合状態にて受容するように構成されたヘッドアセンブリと、
を備えるフィルタユニットであって、
前記スライドアセンブリは、前記第１のラッチ部材と前記第２のラッチ部材が係合し、前記フィルタカートリッジが前記ヘッドアセンブリに対して回転することができるラッチ位置と、前記第１のラッチ部材と前記第２のラッチ部材とが係合離脱され、前記スライドアセンブリが前記フィルタカートリッジと係合して、前記ヘッドアセンブリに対する前記フィルタカートリッジの回転移動を制限するアンラッチ位置との間を、並進移動及び回転移動によって移動可能である、フィルタユニット。
【請求項２】
前記スライドアセンブリは、前記スライドアセンブリが前記ラッチ位置にあるときに前記フィルタカートリッジの回転中にリセット突起と係合するように配置され構成されたリセット部材をさらに有し、前記リセット部材と前記リセット突起との係合により、前記第１のラッチ部材と前記第２のラッチ部材とが係合離脱される、請求項１に記載のフィルタユニット。
【請求項３】
フィルタカートリッジと、
第１のラッチ部材を有するヘッドアセンブリと、
第２のラッチ部材を有するスライドアセンブリと、
を備えるフィルタユニットであって、
前記フィルタカートリッジは、前記ヘッドアセンブリに解放可能に装着されており、前記スライドアセンブリは、前記フィルタカートリッジが前記ヘッドアセンブリに対して一定の軸方向位置及び回転方向位置に保持される第１の位置と、前記フィルタカートリッジが前記ヘッドアセンブリに対して軸方向及び回転方向に移動可能である第２の位置との間を移動するように構成されており、前記スライドアセンブリは、前記フィルタカートリッジを前記ヘッドアセンブリとの係合から解除する前に、前記スライドアセンブリが前記ヘッドアセンブリに対する前記フィルタカートリッジの予め定めた回転位置で前記フィルタカートリッジと係合して前記第１のラッチ部材と前記第２のラッチ部材とを係合離脱させるまで、前記第１のラッチ部材と前記第２のラッチ部材との係合によって前記第２の位置を維持するように構成されている、フィルタユニット。
【請求項４】
前記スライドアセンブリはリセット部材をさらに有し、第３のラッチ部材が、前記フィルタカートリッジと前記予め定めた回転位置で係合するように配置され構成されている、請求項３に記載のフィルタユニット。
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
化合物のミリングされた固体粒子の分散体を形成するための方法であって、
混合容器内で、液体媒体と３００ミクロン以下の平均粒径を有するミリング媒体と固体化合物のミリング混合物を形成すること、および
ミリング混合物をミキサーにより攪拌して、ミリング媒体と固体化合物とを接触させ、固体化合物を所望の平均粒径まで小さくして、液体媒体中のミリングされた固体粒子の分散体を形成すること、
を含み、ミリング混合物における液体媒体と固体化合物の合計体積に対するミリング媒体の体積比が１未満であり、ミリング媒体の平均粒径を超え且つ２．５ｍｍ以下のローター−ステーターギャップで分離されたローター要素およびステーター要素を含んで成るローター−ステーターミキサーを使用して、当該ローター−ステーターミキサーのミリングチャンバ内でミリング混合物を攪拌し、固体化合物が２００ｎｍ以下の体積加重平均等価球直径粒径に粉砕されることを特徴とする方法。
【請求項２】
ローター−ステーターを少なくとも３３ｍ／秒の先端速度で動作させる、請求項１に記載の方法。
【請求項３】
固体化合物が、液体媒体に対して少なくとも１５質量％の濃度でミリング混合物中に存在する、請求項１または２に記載の方法。
【請求項４】
固体化合物が、２４時間以内に、１００ｎｍ以下の体積加重平均等価球直径粒径、および１７５ｎｍ以下の９５番目パーセンタイル体積分布等価球直径に粉砕される、請求項１〜３のいずれか一項に記載の方法。
【請求項５】
ローター−ステーターミキサーが混合容器内のミリング混合物中に浸漬される、請求項１〜４のいずれか一項に記載の方法。
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
ペレット化シーケンスのためのコンポーネントであって、
ペレット化シーケンスのためのコンポーネントの少なくとも一部への表面処理を備え、
表面処理は、
金属酸化物、金属窒化物、金属浸炭窒化物、ダイヤモンド状カーボンまたはその組合せを含む第１の層と、
重合体を含む第２の層とを含み、
表面処理はコンポーネントの少なくとも一部を磨耗および腐食から保護する、コンポーネント。
【請求項２】
重合体は、シリコーン、フルオロポリマ、またはその組合せから選択される、請求項１に記載のペレット化シーケンスのためのコンポーネント。
【請求項３】
ペレット化シーケンスのためのコンポーネントの少なくとも一部は、分流弁の内側面、ダイのノーズコーンの外側面、ダイ本体の入口面、ダイの取外し可能なインサートの入口面、ダイの加熱された取外し可能なインサートの入口面、ダイ穴を囲む領域、ダイ本体のダイ穴の内側面、取外し可能なインサート、または加熱された取外し可能なインサートから選択される、ペレット化システムコンポーネントである、請求項１または２に記載のペレット化シーケンスのためのコンポーネント。
【請求項４】
ペレット化シーケンスのためのコンポーネントの少なくとも一部は、フランジの内側面、入口および出口パイプの管腔、ダイ本体の外部面、ロータシャフトの露出部の外側面、フローガイドの出口および入口流れ面、フランジから遠位および近位のフローガイド面、フローガイドの管腔および外周面、カッターハブおよびアーム面、上供給シュートの内側面、下供給シュートの内側面、ドライヤーベースプレートアセンブリの内側面、パイプシャフトプロテクタの外部面、供給スクリーンの面、脱水スクリーンの面、スクリーンアセンブリの表面、リフタアセンブリの表面、サポートリングアセンブリの外部面、ドライヤーハウジングの上部の内側面、ペレットシュートの内側面、ペレット分流プレートの外部面、ペレットシュート拡張部の内側面、振動ユニットハウジングの内側面、振動ユニットスクリーンの面、コーティングパンの面、偏向機の表面、保持堰の表面、円筒形コアの外部面、ベースプレートの上面、および振動ユニットカバーアセンブリの内側面から選択される、請求項１から３のいずれか１項に記載のペレット化シーケンスのためのコンポーネント。
【請求項５】
ペレット化シーケンスのためのコンポーネントの少なくとも一部は、切断プレートの少なくとも一部である、請求項１から４のいずれか１項に記載のペレット化シーケンスのためのコンポーネント。
【請求項６】
ペレット化シーケンスのためのコンポーネントの少なくとも一部は、空気導入入口弁が取付けられるアングルエルボーの少なくとも一部であり、表面処理は、金属炭化物マトリックスにおけるダイヤモンド状カーボンマトリックスの層と、シリコーン、フルオロポリマ、およびその組合せから選択される重合体層とを含む、請求項１から５のいずれか１項に記載のペレット化シーケンスのためのコンポーネント。
【請求項７】
ペレット化シーケンスのためのコンポーネントの少なくとも一部は、脱水ユニットハウジングの内側面の、ドライヤーハウジングの内側面の少なくとも一部であり、表面処理は、反応性重合体、ポリオレフィン、ポリエチレン、ポリプロピレン、架橋結合可能ポリエチレン、ビニルポリマ、ポリエステル、ポリアミド、ポリカーボネートおよびフルオロポリマから選択される重合体層を含む、請求項１から６のいずれか１項に記載のペレット化シーケンスのためのコンポーネント。
【請求項８】
ペレット化シーケンス用の装置のコンポーネントを表面処理するための方法であって、
ペレット化シーケンスの装置を設けるステップと、
ペレット化シーケンスの少なくとも１つのコンポーネントの少なくとも１つの部分を、少なくとも２つのコンポーネント層で表面処理するステップとを備え、
表面処理は、
金属酸化物、金属窒化物、金属浸炭窒化物、ダイヤモンド状カーボン、金属マトリックスにおけるダイヤモンド状カーボン、金属炭化物マトリックスにおけるダイヤモンド状カーボン、またはその組合せを含む第１のコンポーネント層と、
重合体を含む第２のコンポーネント層とを含み、
表面処理は、ペレット化シーケンスの少なくとも１つのコンポーネントの少なくとも一部分を、形成されたペレットの作用から、およびペレット化シーケンスの副生成物から、保護する、方法。
【請求項９】
表面処理に先立って、ペレット化シーケンスの少なくとも１つのコンポーネントの少なくとも一部を予め処理するステップをさらに備える、請求項８に記載の方法。
【請求項１０】
表面処理は金属化を含む、請求項８または９に記載の方法。
【請求項１１】
重合体の第２のコンポーネント層は非接着である、または均一の表面濡れ性を有する、請求項８から１０のいずれか１項に記載の方法。
【請求項１２】
重合体はシリコーン、フルオロポリマ、またはシリコーンとフルオロポリマとの組合せであるである、請求項８から１１のいずれか１項に記載の方法。